(57)【要約】    【課題】  簡単かつ効率よく止水栓を除去できるようにした管路用止水栓の除去装置を提供する。    【解決手段】  除去装置１００は、マンホール１の壁面１ａに露出している止水栓３にねじ込み可能な係合手段５ｂを有する複数本のねじ込み部材５と引き抜き具１０とからなり、この引き抜き具１０は、ケーブル４が挿通できかつ外周に一対のラック部１３を形成した筒部１２を有しその一端部に前記ねじ込み部材５を挿通しかつ前記係合手段５ｂが係合できる係合孔部１７を設けた係合部材１１と、マンホール１の壁面１ａに対しフランジ部１６の外方で当接する複数の脚部を備えた反力受板２０とを有し、前記反力受板２０の背部において、前記筒部１２を両側から挟みかつ前記ラック部１３の歯１４に遊合する爪を備えた一対のラチエット３７を備えた引抜操作部３０を設けてなる。    【選択図】  図９
2005269749.tif 000002
【特許請求の範囲】
【請求項１】
マンホールや洞道内においてケーブル用管路の開口部に取着されている管路用止水栓を除去するための除去装置であって、
マンホール等の壁面に露出している前記止水栓に対しねじ込み可能で、かつ後端部に係合手段を有するねじ釘状の複数本の引き抜き用のねじ込み部材と、該ねじ込み部材と共に前記止水栓を引き抜くためのケーブル挿通部を内側に備えた引き抜き具とよりなり、
前記引き抜き具は、ケーブルが挿通できかつ外周の軸方向に一対のラック部を形成した筒部と、前記複数本のねじ込み部材を挿通できかつ前記係合手段が係合できる係合孔部を有する該筒部のマンホール等の壁面側端部に設けられたフランジ部からなる係合部材と、前記筒部に軸方向移動を自在に遊嵌してマンホール等の壁面に対し前記フランジ部の外方で当接する複数の脚部を備えた反力受板とを有し、
前記反力受板の背部において、前記筒部を両側から挟みかつ前記ラック部の歯に遊合する爪を備えて前記反力受板をベースにして前記係合部材をマンホール等の壁面から軸方向に移動させる引抜操作部を設けてなる
ことを特徴とする管路用止水栓の除去装置。
【請求項２】
前記係合部材における前記筒部とフランジ部とが別体からなり、係合手段により着脱可能に形成されていることを特徴とする請求項１に記載の管路用止水栓の除去装置。
【請求項３】
前記引抜操作部は、前記爪とラック部の歯とが噛み合うラチエット機構を形成することを特徴とする請求項１又は２に記載の管路用止水栓の除去装置。
【発明の詳細な説明】
【技術分野】
【０００１】
本発明は、通信線や電力線等の各種地下ケーブルを地中に布設するケーブル用管路の点検や新ケーブルの通線作業などのために、マンホール内のケーブル用管路の開口部に取着され閉塞する管路用止水栓を除去する除去装置に関するものである。
【背景技術】
【０００２】
ケーブル用管路は所定間隔をおいて設けられたマンホール間を連絡するように地中に埋設されている。マンホール間には複数のケーブル用管路が設けられており、各管路はマンホール内に、通常縦横複数列に並列して開口している。使用中の管路はケーブルが挿通されるとともに、開口部がケーブル周囲の詰め物である管路用止水栓が取り付けられ開口が閉塞されている。また、不使用の空の管路についても、マンホール内に侵入した雨水が管路内に流入して滞留するのを防ぐため、管路の開口部は止水栓が挿着されて閉塞されている。
【０００３】
従来より、マンホール内に開口するケーブル用管路の開口部の止水栓は、図１２，１３に示すように、ゴム材等の弾性体よりなる環状体の一部を切り開いた割環状をなし、必要に応じて管路の開口部に内嵌する部分の外周部に吸水マットが設けられており、ケーブルの周囲に割れ目部分から嵌合しかつ前記管路開口部の内周に嵌着されており、前記吸水マットが水分を吸収して膨潤し、開口部に対して極めて強固に固着された状態になっている。
【０００４】
このため、前記の管路用止水栓を除去するのは容易でなく、例えばナイフ、ドライバー、引っ掻き棒等の工具を使って作業者が止水栓を破砕しながら取り除くようにしている。この作業は既設のケーブルを破損させる危険性があり、困難で時間のかかる効率の悪い作業となっている。
【０００５】
そこで、本出願人は、油圧あるいはねじ送り操作による機械的な力を利用して、安全で、簡単な操作で効率よくこの管路用止水栓を除去できるようにした管路用止水栓の除去方法と除去装置を提案している（特許文献１）。
【特許文献１】特開２００４−２３８５５号公報
【発明の開示】
【発明が解決しようとする課題】
【０００６】
ところが、上記文献に記載の技術において、油圧による除去装置では、油圧ユニットやこのユニットと除去装置とを接続する油圧ホースなどの付属装置、部品を要することから、マンホール内に油圧ホースを配置したり、油圧ユニットなどを操作する作業スペースを確保する必要があり、また装置の費用が嵩むものとなっている。また、ねじ送り操作による機械的な力を利用するものは、引き抜き具のねじ筒部に螺合する操作用の環状部材を回動することにより、反力受板をベースにして係合部材を軸方向に移動させるものであり、環状部材を手動で回動させるのにかなりの力を要し、また狭いマンホール内で環状部材を回動操作する作業がしづらく、いずれの場合も未だ改善の余地が残されている。
【０００７】
本発明は、上記に鑑みてなしたものであり、上記油圧あるいはねじ送り操作により止水栓を引き抜き除去するよりも、付属装置や作業スペースの確保を要さずに、安全でより簡単かつ効率よく止水栓を除去できるようにした管路用止水栓の除去装置を提供するものである。
【課題を解決するための手段】
【０００８】
本発明の管路用止水栓の除去装置は、マンホールや洞道内においてケーブル用管路の開口部に取着されている管路用止水栓を除去するための除去装置であって、マンホール等の壁面に露出している前記止水栓に対しねじ込み可能で、かつ後端部に係合手段を有するねじ釘状の複数本の引き抜き用のねじ込み部材と、該ねじ込み部材と共に前記止水栓を引き抜くためのケーブル挿通部を内側に備えた引き抜き具とよりなり、前記引き抜き具は、ケーブルが挿通できかつ外周の軸方向に一対のラック部を形成した筒部と、前記複数本のねじ込み部材を挿通できかつ前記係合手段が係合できる係合孔部を有する該筒部のマンホール等の壁面側端部に設けられたフランジ部からなる係合部材と、前記筒部に軸方向移動を自在に遊嵌してマンホール等の壁面に対し前記フランジ部の外方で当接する複数の脚部を備えた反力受板とを有し、前記反力受板の背部において、前記筒部を両側から挟みかつ前記ラック部の歯に遊合する爪を備えて前記反力受板をベースにして前記係合部材をマンホール等の壁面から軸方向に移動させる引抜操作部を設けてなることを特徴とするものである。
【０００９】
この発明の除去装置によれば、前記引き抜き具の係合部材を切欠開口部からケーブル周りにセットし、該係合部材の係合孔部を通してねじ釘状のねじ込み部材を管路の開口部に露出する止水栓に対してねじ込んで、該ねじ込み部材の係合手段を係合孔部に係合させておく。こうして前記係合部材の筒部の外周に前記反力受板を挿入しながら前記引抜操作部が前記一対のラック部を両側から挟みかつ前記ラック部の歯に爪を遊合させ、反力受板の脚部をマンホール等の壁面に当接させる。そして、引抜操作部の爪をラック部の歯に対してラック部後方からフランジ側に向かって順次噛み合わせ操作してフランジ側に送り、前記筒部すなわち係合部材を反力受板をベースにしてマンホール等の壁面から引き離す方向に牽引移動させることにより、前記ねじ込み部材と共に管路開口部の止水栓を容易に、安全に引き抜くことができる。
【００１０】
前記管路用止水栓の除去装置において、前記係合部材における前記筒部とフランジ部とが別体からなり、係合手段により着脱可能に形成されていることにより、フランジ部のみをねじ込み部材を用いて止水栓に係合できるようになり、該係合部材の止水栓への係合操作が容易となり、安全性、作業効率をより向上するものとなる。
【００１１】
この場合、前記引抜操作部は、前記爪とラック部の歯とが噛み合うラチエット機構を形成するものであると、該操作部の構造を簡単なものとして、止水栓の牽引移動操作を確実で容易なものとする。
【発明の効果】
【００１２】
本発明の管路用止水栓の除去装置によると、管路の開口部に取着された止水栓をラックと爪による機械的な送り手段により、既設のケーブルを損傷させることなく安全に、かつ簡単な操作で短時間に効率良く除去することができる。
【発明を実施するための最良の形態】
【００１３】
以下に、本発明に係る管路用止水栓の除去装置１００の実施の形態を図１〜図９に示す実施例に基づいて説明する。
【００１４】
マンホール等のケーブル用管路の開口部に取着される管路用止水栓３は、従来技術で説明した図１２，１３に示す通りであり、一部に割れ目部分３ｂを有する割環状をなし、割れ目部分３ｂからケーブル４の外周に嵌着した状態でマンホール１内に開口する管路２の開口部２ａに嵌着されている。
【００１５】
本発明に係る管路用止水栓の除去装置１００は、図に示すように、マンホール１等の壁面１ａにおいて管路端より露出している前記止水栓３に対しねじ込み可能なねじ込み部材５と、該ねじ込み部材５に係合して該ねじ込み部材５と共に止水栓３を引き抜くための引き抜き具１０とを有している。
【００１６】
前記ねじ込み部材５は、図１中に示されるように、先端５ａが尖鋭状をなすとともに、先端から所要長さ部分の外周に螺条６が形成され、さらに後端部には通常のねじ釘等と同様に拡径形成された係合手段としての皿状もしくは半球状の頭部５ｂが形成されており、電動ドライバー等のねじ込み工具を用いて止水栓３に対してねじ込み可能に形成され、後述する係合部材１１の係合孔部１７にその頭部５ｂを係合することにより止水栓３に対する引き抜き作用を発現するように設けられている。
【００１７】
ねじ込み部材５の全長は、引き抜き具１０による引き抜き作用を考慮して任意に設定できるが、通常、該ねじ込み部材５の先端側の螺条部６の長さは、引き抜き対象の止水栓３の軸方向寸法に応じて、例えば止水栓３の軸寸法と同程度かもしくはやや長く形成しておくとよい。
【００１８】
引き抜き具１０は、図２〜図８に示すように、前記複数本のねじ込み部材５を係合するフランジ部１６と筒部１２とからなる係合部材１１と、該係合部材１１と軸方向に遊嵌しマンホール１の壁面１ａに対して当接させて引き抜き操作持の反力を受ける反力受板２０と、前記反力受板２０の背部において前記係合部材１１の軸方向の移動手段である引抜操作部３０とを有している。
【００１９】
前記係合部材１１は、図２〜図４に示すように、筒部１２とフランジ部１６とが、係合手段１２０，１３０により着脱可能である別体から構成されている。
【００２０】
図２に示す筒部１２の係合手段１２０は、筒部１２の一端部（下端部）に設けられた径大部１２１を有する筒部１２の延長部材として形成され、前記径大部１２１と筒部１２本体との間に径大部１２１をフランジ部１６の係合部１３０に係合し脱落を防止する径小部１２２が設けられ、ケーブルを挿通する開口部１８を切り欠き開口している。
【００２１】
また、フランジ部１６は、前記筒部１２の係合手段１２０に着脱自在にする係合部１３０をフランジ部１６の内部に形成している。係合部１３０は、図３に示すように、前記径大部１２１と係合し筒部１２をフランジ部１６に固定一体化する略Ｕ字状の係合凹部１３１が、ケーブルを挿通するための開口部１８ａを含めて連続して形成される。
【００２２】
前記係合凹部１３１は、前記筒部１２の径大部１２１が容易に挿入でき、凹部１３１内部で径大部１２１が回転自在とし、かつ筒部１２の装着後は径大部１２１と凹部１３１との間に大きな遊びが生じない程度の内径と幅寸法で形成されることが好ましく、両者の係合状態を安定させることで引抜き操作や引抜き性能を向上し、作業効率を向上するとともに作業者の安全性確保や装置の破損を防止するものとなる。
【００２３】
そして、筒部１２には、一対のラック部１３とその歯１４およびガイド溝１５が設けられ、フランジ部１６には複数の係合孔部１７が設けられている。
【００２４】
この係合部材１１を止水栓３に対して係合する場合は、図４に示すように、フランジ部１６を開口部１８ａからケーブル４の周りにセットし、フランジ部１６の係合孔部１７を通してねじ釘状のねじ込み部材５を止水栓３に対して電動ドライバー等のねじ込み工具によりねじ込み、該ねじ込み部材を係合孔部１７の凹部に係合させ、フランジ部１６を止水栓３に係合固定する（図４（ａ））。
【００２５】
次ぎに、筒部１２の開口部１８にケーブル４を挿通させながら、筒部１２の係合手段１２０の径大部１２１をフランジ部１６の径合凹部１３１に上方から挿入し（図４（ｂ））、筒部１２とフランジ部１６の開口部１８，１８ａが同一方向になるように、筒部１２を略１８０°回転させる（図４（ｃ））。これにより、ケーブル４を筒部１２の開口部１８とフランジ部１６の開口部１８ａに挿通した状態にし、筒部１２とフランジ部１６とが両者の係合力を最大にして安定した係合状態をなす一体化された係合部材１１となる。
【００２６】
前記ラック部１３は、その歯１４がマンホール１の壁面１ａに対する向きに傾斜して形成されている。これにより、引抜操作部３０の爪３１をラック部の歯１４に対してラック部１３の後方からフランジ部１６に向かって順次噛み合わせてフランジ部１６側に送ることで、前記筒部１２をマンホール１の壁面１ａから引き離す軸方向に移動させることになる。
【００２７】
また、前記ラック部１３の基部両側部には、筒部１２の軸方向に沿うガイド溝１５を設けている。このガイド溝１５は、後述する引抜操作部３０の支持カバー３２の両端部に設けた突出部４８をガイド溝１５の両側から挟み挿通することで、係合部材１１の筒部１２の外周に前記反力受板２０を挿入しながら引抜操作部３０をラック部１３の両側から挟みかつ前記ラック部１３の歯１４に爪３１を遊合させるガイド作用と、引抜操作部３０が係合部材１１から脱落するのを防ぐ脱落防止作用をなし、爪操作部３０の挿入操作を容易かつ正確なものとする。
【００２８】
このラック部１３は、ガイド溝１５に引抜操作部３０を挿入する挿入側端部において、図１０に示すように、ガイド溝１５を先端部に向けて除々に幅広の略鋭角状の溝１５ａにするとともにラック部１３先端の両端部１３ａの角をカットし形成することで、引抜操作部３０のラック部１３への挿入操作をより容易なものとすることができる。
【００２９】
フランジ部１６には、前記複数本のねじ込み部材５を挿通し係合できる係合孔部１７が、複数個所、例えば、引き抜き時の安定性の点から周方向略等間隔の３個所以上に形成されている。係合孔部１７には、前記ねじ込み部材５の係合手段である頭部５ｂが係合する時の座部となる凹部１７ａが形成されている。
【００３０】
反力受板２０は、図５〜図７に示すように、板体の中央に前記筒部１２の外径より大きい切欠開口部２１を有し、前記筒部１２を開口部２１に挿通して軸方向の移動を自在に遊嵌し、かつ前記フランジ部１６の外方でマンホール１の壁面１ａに対して当接して引き抜き操作時の反力を受けるようにしたものである。そのため、前記フランジ部１６より外方になる反力受板２０の周縁部の複数個所、好ましくは３個所以上に前記壁面１ａに当接する脚部２２としてのボルトが螺合手段により取り付けられている。
【００３１】
図の場合、反力受板２０は、前記フランジ部１６の直径より縦横寸法が大きくかつ中央に切欠開口部２１を有する四角形の板体よりなり、その四隅部に前記脚部２２としてのボルトが取り付けられ、マンホールの壁面１ａの凹凸に応じて反力受板２０が壁面１ａにほぼ平行になるようにボルトの螺合位置を調整し、ロック用ナット２３で脚部２２の突出長さを調整し固定できるようになっている。
【００３２】
前記脚部２２としては、上記のボルトを利用するものに限らず、壁面１ａとの間に係合部材１１の移動および止水栓３の引き抜きに要する所定のスペースを確保して当接保持できるものであればよい。
【００３３】
この反力受板２０も、上記の係合部材１１と同様に、中央の切欠開口部２１が周方向の一側部でケーブル４が通過できるように外側方に切欠開口され、ケーブル４を開口部２１に挿通した状態にセットすることができる。
【００３４】
引抜操作部３０は、図５〜図７に示すように、前記係合部材１１のラック部１３の歯１４を両側部から挟み遊合する爪３１と、前記爪３１を回動可能に支持する略コ字状の支持カバー３２と、前記支持カバー３２を装着する装着部３３と、装着部３３に接続される操作レバー３４、およびラック部１３の歯１４と爪３１との操作時の離反を防ぐストッパー用爪３６とからなり、この引抜操作部３０は反力受板２０の背面にブロック３５により取り付け固定されている。また、支持カバー３２には、略コ字形の両端部に前記ガイド溝１５を両側から挟み挿通するための突出部４８がそれぞれ設けられている。
【００３５】
前記の爪３１は、支持カバー３２に対してボルト３８を用いてバネ３９を備えて回動可能に支持され、図８に示すようにラック部１３との組合せによりラチエット３７を構成している。
【００３６】
そして、一対のラチエット３７が装着部３３に開けた取り付け孔４９にボルト４１により装着された後、操作部３３は反力受板２０に固定されたブロック３５の取り付け孔４２と操作部３３の取り付け孔４４とにボルト４３を挿通して装着され、引抜操作部３０が反力受板２０の背面に固定される。
【００３７】
この引抜操作部３０は、一対のラチエット３７の爪３１が前記反力受板２０の後続において前記筒部１２に設けた一対のラック部１３の歯１４にそれぞれ遊合し、この状態で一対の爪３１を上下に繰り返し回動動作させることにより、ラック部１３の歯１４に対してラック部１３の後方からフランジ１６側に向かって順次噛み合わせを繰り返すことで、筒部１２を含む係合部材１１の全体をマンホールの壁面１ａから引き離す方向に移動させる強い力が作用するようになる。
【００３８】
すなわち、前記ラック部１３を備えた筒部１２からなる係合部材１１と、反力受板２０と、引抜操作部３０との組合せによって、係合部材１１を軸方向に移動させる爪送り機構、すなわちラチエット機構による軸方向移動手段を構成し、係合部材１１のフランジ部１６に係合される止水栓３を反力受板２０をベースにしてマンホール１の壁面１ａから引き離す方向に牽引移動させ引き抜き除去するものである。
【００３９】
この引抜操作部３０には、ラチエット３７の回動操作を容易にする操作レバー３４が突設されて引き抜き操作時の労力を軽減させ、除去作業の負担を低減することができ、さらに労力負担を低減する延長レバー部３４ａを内蔵することもできる。また、操作レバー３４は、操作部３３に対して着脱自在とする、例えば差込タイプ等とすることもできる。
【００４０】
また、前記引抜操作部３０には、前記ラック部１３の歯１４に対して離合可能なストッパー用爪３６が設けられている。このストッパー用爪３６は、固定板４５内においてブロック３５に挿通されたＬ字形状の解除レバー４６先端部とコイルバネ４７を介して連結された状態で、爪３６がラック部１３の歯１４に噛み合うように反力受板２０に装着されている。このストッパー用爪３６は、係合部材１１をマンホール１の壁面１ａから引き離し移動させる際にロックされ、壁面１ａからの反力によりラチエット３７の爪３１がラック部１３の歯１４から離反したり、またそれにより係合部材１１が壁面１ａ方向に逆行することを防ぐ安全装置であり、ストッパーを解除する時はレバー４６を手前に引っ張り爪３６をラック部１３の歯１４から離脱させ、レバー４６のＬ字形後部をブロック３５の外側に係止させることでロックを解除することができる。
【００４１】
また、ストッパー用爪３６に連結される解除レバーは、上記Ｌ字形状の解除レバー４６に代えて、Ｌ字形の端部を指を挿入し引っ張れるように環状に形成したり、また、図１１に示すように、ブロック３５に設けた凹状切り込みを有する係止部５０に、回動可能にしてストッパー用爪３６に連結する指挿入孔５２を有する把持部５１とすることで、この把持部５１に指を入れて引っ張り回転固定することにより容易にストッパーの解除とロックの操作を行うことができる。
【００４２】
この除去装置１００を用いて管路２の開口部２ａに取着されている止水栓３を除去する場合は、図９に示すように、まず、図４で説明した手順に従い係合部材１１のフランジ部１６を切欠開口部１８ａからケーブル４の周りにセットし、該フランジ部１６の係合孔部１７を通してねじ釘状のねじ込み部材５を管路２の開口２ａに露出する止水栓３に対して電動ドライバー等のねじ込み工具によりねじ込み、該ねじ込み部材５頭部の皿状の係合手段５ｂを係合孔部１７の凹部１７ａに係合させ、係合部材１１のフランジ部１６に止水栓３を係合固定した後、筒部１２をケーブル４の周りにセットし係合手段１２０と１３０とを嵌め合わせて筒部１２を１８０°回転しフランジ部１６に係合する。
【００４３】
次ぎに、前記係合部材１１のケーブル４を含む筒部１２の外周に、引抜操作部３０のストッパー用爪３６を解除レバー４６を引っ張りストッパー爪３６を解除した状態で反力受板２０を切欠開口部２１から挿入し、前記引抜操作部３０の一対のラチエット３７，３７が筒部１２両側部の一対のラック部１３を両側から挟みかつ前記ラック部１３の歯１４にラチエット３７の爪３１を遊合させた状態で、反力受板２０の各脚部２２をマンホール１の壁面１ａに当接させ、マンホール１の表面と反力受板２０とが略平行になるようにフランジ部１６の外方でマンホール１の表面凹凸に応じて脚部２２の長さを調整固定し、係合部材１１に反力受板２０および引抜操作部３０を装着する。解除レバー４６を戻してストッパー用爪３６をラック部１３の歯１４に噛み合わせロックしておく。
【００４４】
そして、引抜操作部３０の操作レバー３４を繰り返し上下に操作することでブロック３５のボルト４３を支点とするてこ作用によりラチエット３７が上下に繰り返し回動され、ラチエット３７の爪３１をラック部１３の歯１４に対してラック部１３後方から順次噛み合わせてラック部１３を押し上げることで、係合部材１１を反力受板２０をベースにしてマンホール１の壁面１ａから引き離す方向に牽引移動させ、前記フランジ部１６に係合するねじ込み部材５と共に管路開口部２ａに強固に取着された止水栓３を引き抜くことができる（図の鎖線）。
【００４５】
こうして止水栓３の開口部２ａへの密着が緩くなれば、手で抜き取ることもできる。この引き抜き作業後は、ストッパー用爪３６のストッパーを解除して、ラチエット３７の爪解除レバー４０引きながら爪３１と歯１４とを離反させた状態で反力受板２０と共に引抜操作部３０を係合部材１１から外して分解し、ねじ込み部材５を止水栓３から抜き取り、止水栓３からケーブル４を取り外せば除去作業が完了する。
【００４６】
以上の通り、本発明の管路用止水栓の除去装置は、マンホールや洞道内において、ケーブル用管路の開口部に取着されている止水栓を、比較的強い力でケーブルを損傷させることなく、簡単にして容易に管路から水栓路を除去する作業に使用することができる。もちろん、この除去装置は、ケーブルが通っていない空管路の止水栓の除去にも使用することができる。
【００４７】
また、係合部材１１は、筒部１２とフランジ部１６とが別体からなるので、止水栓の除去作業の準備作業としての係合部材１１と止水栓３の係合作業が、フランジ部１６のみをねじ込み部材５を用いて止水栓３に対して係合固定し、その後に筒部１２を装着できるようになり、係合部材１１の止水栓３への係合操作がより容易となり、作業スペースに余裕が生じて安全性、作業効率をより向上するものとなる。
【図面の簡単な説明】
【００４８】
【図１】実施例の除去装置を示す側面図である。
【図２】係合部材の筒部を示す正面及び底面図である。
【図３】係合部材のフランジ部を示す平面及び断面図である。
【図４】係合部材の係合状態を説明する斜視図である。
【図５】反力受板およびネジ操作部を示す平面図である。
【図６】同上の一部を切り欠いた背面図である。
【図７】引抜操作部の分解斜視図である。
【図８】ラチエットを示す側面図である。
【図９】実施例の除去装置による止水栓引き抜き操作時の断面説明図である。
【図１０】ラック部の改良例を示す斜視図である。
【図１１】ストッパー用爪の解除レバーの改良例を示す斜視図である。
【図１２】管路用止水栓の取着状態の概略を示す断面図である。
【図１３】管路用止水栓の正面図である。
【符号の説明】
【００４９】
１００……管路用止水栓の除去装置
１……マンホール
１ａ……マンホールの壁面
２……管路
３……止水栓
４……ケーブル
５……ねじ込み部材
５ｂ……係合手段
６……螺条
１０……引き抜き具
１１……係合部材
１２……筒部
１３……ラック部
１４……歯
１５……ガイド溝
１６……フランジ部
１７……係合孔部
１８，１８ａ……切欠開口部
２０……反力受板
２１……切欠開口部
２２……脚部
２３……ロック用ナット
３０……引抜操作部
３１……爪
３２……支持カバー
３３……装着部
３４……操作レバー
３５……ブロック
３６……ストッパー用爪
３７……ラチエット
４６……解除用レバー
４８……突出部
【図１】
2005269749.tif 000003
【図２】
2005269749.tif 000004
【図３】
2005269749.tif 000005
【図４】
2005269749.tif 000006
【図５】
2005269749.tif 000007
【図６】
2005269749.tif 000008
【図７】
2005269749.tif 000009
【図８】
2005269749.tif 000010
【図９】
2005269749.tif 000011
【図１０】
2005269749.tif 000012
【図１１】
2005269749.tif 000013
【図１２】
2005269749.tif 000014
【図１３】
2005269749.tif 000015